(57)【要約】【課題】使い勝手や安全性を維持し、音声案内により、さらなるユニバーサルデザインを向上させた給湯機を提供すること。【解決手段】機能の操作回数を計時する操作回数計時手段１０と、各機能に応じた音声ガイダンスを前記操作回数に基づいて複数パターンを有する音声出力手段８と、前記音声出力手段８の信号に基づいて音声を発する音発生手段９とを有するリモコン３を備え、使用者の各機能の操作回数を前記操作回数計時手段１０が計時するとともに、前記計時した回数に基づいて、前記音発生手段９にて音声案内するパターンを変更する構成としたことを特徴とする給湯機。【選択図】図１
2013011388.tif 000002
【特許請求の範囲】
【請求項１】
機能の操作回数を計時する操作回数計時手段と、各機能に応じた音声ガイダンスを前記操作回数に基づいて複数パターンを有する音声出力手段と、前記音声出力手段の信号に基づいて音声を発する音発生手段とを有するリモコンを備え、使用者の各機能の操作回数を前記操作回数計時手段が計時するとともに、前記計時した回数に基づいて、前記音発生手段にて音声案内するパターンを変更する構成としたことを特徴とする給湯機。
【発明の詳細な説明】
【技術分野】
【０００１】
本発明は、給湯機に関連し、特に、音声報知に関するものである。
【背景技術】
【０００２】
従来、この種の給湯機では、だれもが使いやすいように（ユニバーサルデザインと呼ばれる）、スイッチが操作されたとき関連する操作方法や機能の案内を音声報知している。
【０００３】
またスイッチ操作を間違ったとき、操作を受け付けなかった理由や、操作を可能とするための操作方法を音声案内しているものもあった（例えば、特許文献１参照）。
【先行技術文献】
【特許文献】
【０００４】
【特許文献１】特開２０００−１３８９７７号公報
【発明の概要】
【発明が解決しようとする課題】
【０００５】
しかしながら、前記従来の構成では、スイッチ操作がされると即時に操作に関する音声報知を行うことになるので、使用者が操作に慣れて操作方法が解かっているのに操作の度に音声報知することになり、煩雑でうるさくなるという問題を有していた。
【０００６】
また、上記のような課題を解決するために、音声報知を禁止する機能を搭載しているものもある。
【０００７】
しかしながら一度に全ての音声報知を禁止することしかできず、稀にしか操作しない機能に対する音声報知まで禁止されてしまうこととなり、音声案内の効果を示さないという課題も有していた。
【０００８】
本発明は、前記従来の課題を解決するもので、使い勝手や安全性を維持し、音声案内により、さらなるユニバーサルデザインを向上させた給湯機を提供することを目的とする。
【課題を解決するための手段】
【０００９】
前記従来の課題を解決するために、本発明の給湯機は、機能の操作回数を計時する操作回数計時手段と、各機能に応じた音声ガイダンスを前記操作回数に基づいて複数パターンを有する音声出力手段と、前記音声出力手段の信号に基づいて音声を発する音発生手段とを有するリモコンを備え、使用者の各機能の操作回数を前記操作回数計時手段が計時するとともに、前記計時した回数に基づいて、前記音発生手段にて音声案内するパターンを変更する構成としたことを特徴とするものである。
【００１０】
これによって、操作の慣れに従って効果的な音声報知をすることができる給湯機を提供できる。
【発明の効果】
【００１１】
本発明によれば、使い勝手や安全性を維持し、音声案内により、さらなるユニバーサルデザインを向上させた給湯機を提供できる。
【図面の簡単な説明】
【００１２】
【図１】本発明の実施の形態１における給湯機のブロック図
【図２】同給湯機の音声案内のフローチャート
【図３】同給湯機の音声パターン決定のフローチャート
【発明を実施するための形態】
【００１３】
第１の発明は、機能の操作回数を計時する操作回数計時手段と、各機能に応じた音声ガイダンスを前記操作回数に基づいて複数パターンを有する音声出力手段と、前記音声出力手段の信号に基づいて音声を発する音発生手段とを有するリモコンを備え、使用者の各機能の操作回数を前記操作回数計時手段が計時するとともに、前記計時した回数に基づいて、前記音発生手段にて音声案内するパターンを変更する構成としたことを特徴とする給湯機である。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯機のブロック図である。
【００１６】
図１において、給湯機本体１と台所リモコン２と浴室リモコン３は、リモコンケーブルで接続されている。浴室リモコン３には、給湯機本体１と浴室リモコン３と通信を行う通信手段４があり、マイコン５と接続されている。
【００１７】
操作者は入力手段７より、所望の操作を入力する。操作回数計時手段１０では入力手段７より入力された各機能毎の操作回数をカウントする。
【００１８】
また、表示手段６では、マイコン５からの信号により、使用者に対して表示を行う。音声出力手段８では、操作回数計時手段１０からの操作回数信号を受け取り、音声報知パターンを決定し、スピーカー９を駆動する。
【００１９】
また、台所リモコン２にも、浴室リモコン３と同様の回路ブロックが存在するが、同様のブロックは、同じ符号を与え、説明も省略する。
【００２０】
以上のように構成された給湯機について、図２を用いて、以下その動作、作用を説明する。
【００２１】
図２は、本発明の実施の形態１における給湯機の音声案内のフローチャートである。
【００２２】
まず、台所リモコン２、もしくは浴室リモコン３で音声案内を行う場合、ステップ１で操作者のスイッチからの入力を検知し、ステップ２へ進む。ステップ２では、各機能毎の操作回数をカウントしステップ３に進む。
【００２３】
その後、ステップ３により、カウントされた回数に従って、報知する音声パターンを決定する。
【００２４】
ステップ４では、音声案内を開始する。音声案内は、マイコン５から音声信号が出力される。その信号がスピーカー９に伝えられ、音声が出力される。もし、決定された音声パターンが空だった場合は、音声は出力されない。
【００２５】
以上のように、本実施の形態においては、台所リモコンおよび、浴室リモコンに、操作された各機能の操作回数を計時する操作回数計時手段と、音声出力手段と、前記音声出力手段の信号を音に変えるスピーカーと、通信手段を有し、前記操作回数計時手段によって
カウントされた操作回数に基づいて、音声案内を行うことによりさらなるユニバーサルデザインを向上させることができる。
【００２６】
図３は、本発明の実施の形態１における給湯機の音声報知パターン決定のフローチャートである。
【００２７】
まず、台所リモコン２、もしくは浴室リモコン３で音声案内を行う場合、操作回数計時手段より受け取った操作回数が１〜９回だった場合、その機能の詳細な内容の音声報知パターンを決定する。
【００２８】
例えば該当機能が「お湯張り」だった場合、「浴槽に設定温度４０℃でお湯を張ります。約３０分かかります。浴槽に栓はしましたか？」（完了後）「お湯張りが終了しました。」という音声パターンに決定する。
【００２９】
操作回数が１０〜１９回だった場合、その機能の簡略な内容の音声報知パターンを決定する。
【００３０】
例えば該当機能が「お湯張り」だった場合、「浴槽にお湯を張ります。」（完了後）「お湯張りが終了しました。」という音声パターンに決定する。
【００３１】
操作回数が２０回を超える場合は、その機能の音声報知パターンを省略する。例えば該当機能が「お湯張り」だった場合、「空（なし）」（完了後）「お湯張りが終了しました。」という音声パターンに決定する。
【００３２】
以上のように、本実施の形態においては、操作回数計時手段１０により各機能毎に計時された操作回数に基づいて音声案内を行うことにより、操作の慣れに従って効果的な音声報知をすることができる給湯機を提供できる。
【産業上の利用可能性】
【００３３】
以上のように、本発明にかかる給湯機は、使い勝手や安全性を維持し、音声案内や表示によるさらなるユニバーサルデザインを向上させることができるので、人が長時間在室している時にも音声案内や表示を必要とする機器に応用することができる。
【符号の説明】
【００３４】
１  給湯機本体
２  台所リモコン
３  浴室リモコン
４  通信手段
６  表示手段
７  入力手段
８  音声出力手段
９  スピーカー（音発生手段）
１０  操作回数計時手段
【図１】
2013011388.tif 000003
【図２】
2013011388.tif 000004
【図３】
2013011388.tif 000005